(57)【要約】【課題】映像の分割数よりも少ない数のプロジェクタによって、繋ぎ目を目立たせず、色むらを無くしたビデオウォール表示を実現できるプロジェクタを提供する。【解決手段】このプロジェクタは、外部からの映像信号をメモリ１２に順次格納する映像入力部１１と、投影に必要な大きさに拡大し、投写位置により生じる台形歪みを補正する形状補正部１３と、形状補正部１３で補正された映像を指定された方向へ投写する投写方向切替部１４と、これらの各部を制御する制御部１５とを備えている。制御部１５は、分割数に応じたタイミングに合わせて、任意に分割された映像表示領域に対応する映像領域をメモリ１２から順次選択し、該選択された映像領域の映像を形状補正部１３へ転送し、形状補正部１３で補正された映像を投写方向切替部１４で映像表示領域の方向へ投写することを、選択された映像領域順に繰り返し表示して、ビデオウォール表示を行う。【選択図】        図１
2004356919.tif 000002
【特許請求の範囲】
【請求項１】
外部からの映像信号をメモリに順次格納する映像入力部と、投影に必要な大きさに拡大し、投写位置により生じる台形歪みを補正する形状補正部と、前記形状補正部で補正された映像を指定された方向へ投写する投写方向切替部と、これらの各部を制御する制御部とを備え、前記制御部は、分割数に応じたタイミングに合わせて、任意に分割された映像表示領域に対応する映像領域を前記メモリから順次選択し、該選択された映像領域の映像を前記形状補正部へ転送し、該形状補正部で補正された映像を前記投写方向切替部で映像表示領域の方向へ投写することを、前記選択された映像領域順に繰り返し表示するようにして、ビデオウォール表示できるようにしたことを特徴とするプロジェクタ。
【請求項２】
請求項１に記載のプロジェクタにおいて、任意の明るさの光を出力できる光源部と、明るさの調整値によって、前記光源部の明るさを設定する明るさ調整部とを備え、前記制御部は前記映像の分割数に応じて光源の明るさを調整する明るさ調整値を計算し、この計算値を前記明るさ調整部へ設定することによって、ビデオウォール表示時の画面の明るさを分割しないときの明るさと同程度に保つようにしたことを特徴とするプロジェクタ。
【請求項３】
請求項１または２に記載のプロジェクタにおいて、複数のプロジェクタを双方向通信で接続するための通信部を備え、前記制御部は、投写不能なプロジェクタを前記通信部により検出した場合、検出されたプロジェクタの明るさを補うように増光する明るさの調整値を設定することを特徴とするプロジェクタ。
【請求項４】
請求項１、２または３に記載のプロジェクタにおいて、複数のプロジェクタを双方向通信で接続するための通信部を備え、前記制御部は、投写可能なプロジェクタを前記通信部により検出した場合、接続されているすべてのプロジェクタの明るさの総和を分割のない時の明るさに減光する明るさの調整値を設定することを特徴とするプロジェクタ。
【請求項５】
請求項２、３または４に記載のプロジェクタにおいて、前記光源部は、ＬＥＤを格子状に配列した光源を持ち、前記制御部は、任意に分割された映像表示領域に対応する映像領域を前記メモリから選択する場合、この映像領域に隣接した領域と重複するようにした映像を取り出し、この取り出した映像に対応する各々のＬＥＤの光量を重複量に応じて制御して映像の繋ぎ目を目立たなくしたビデオウォール表示を実現できるようにしたことを特徴とするプロジェクタ。
【請求項６】
コンピュータに、請求項１乃至５のいずれかに記載のプロジェクタの機能を実行させるためのプログラム。
【請求項７】
請求項６に記載のプログラムを記録したコンピュータ読み取り可能な記録媒体。
【発明の詳細な説明】
【０００１】
【発明の属する技術分野】
本発明は、プロジェクタ、プログラムおよび記録媒体に関し、具体的には、複数に分割された映像から１つの映像をスクリーン上に投写するビデオウォール表示技術に関する。
【０００２】
【従来の技術】
近年、大画面化、薄型化を実現するために、複数の投写光学系により各投写画面を縦横に配列して投写し、１つの画面に合成するマルチプロジェクタが知られている。
【０００３】
例えば、図１１のように、４つの液晶プロジェクタを用いた従来の４面マルチプロジェクタを示し、プロジェクタ２ａ、２ｂ、２ｃ、２ｄにより各映像がスクリーン１の２×２の各小画面１ａ、１ｂ、１ｃ、１ｄにそれぞれ拡大して投写され、繋ぎ目で繋ぎ合わされて結果として１つの画面としてスクリーン１上に投写される。
【０００４】
また、特許文献１の「マルチ画像投写装置」では、前面にスクリーンを有するキャビネットと、このキャビネット内のスクリーンの下方に配置した複数台のプロジェクタと、複数台のプロジェクタから出射された光をほぼ平行方向に反射させる第１ミラーと、各プロジェクタの出射光をスクリーンに向かって反射する最終ミラーとを有しており、最終ミラーがこの最終ミラーに各プロジェクタの出射光が下方から入射し、前方のスクリーンに向かって反射するように床面に対して所定のあおり角で配置される構成となっている。
これにより、室内光によるコントラストの低下を防止できるようにしたマルチ画像投写装置を提供している。
【０００５】
【特許文献１】
特開平７−２８１２９７号公報
【特許文献２】
特開平６−２１７２４０号公報
【特許文献３】
特開２００１−２６８４７６号公報
【０００６】
【発明が解決しようとする課題】
上述のように、従来、１つの画像を分割した小画像をそれぞれプロジェクタによって拡大投写し、投写された画像をスクリーン上で１画面に合成する、所謂、ビデオウォール表示を行うには、映像の分割数と同じ数のプロジェクタを必要としており、各プロジェクタの設置も固定的なものとされている。
【０００７】
したがって、従来の技術では、映像の分割数を増やすたび毎にそれに合わせてプロジェクタの数を増やす必要があり、設置箇所、面積、作業および費用が嵩むこととなっていた。
【０００８】
また、映像の表示位置が固定的なため、隣の映像どうしの繋ぎ目が発生してしまっていた。
このような問題点を解決するために、特許文献２では、プロジェクタの各々による各投写映像同士の水平方向の重なり度合いに応じた重なり信号を形成する水平及び垂直信号形成手段と、これらからの各重なり信号及びプロジェクタを作動させるための水平同期信号と垂直同期信号に基づいて映像同士の水平方向及び垂直方向の重なり時期に対応した輝度タイミング信号を形成する総合輝度制御信号形成手段とを備え、この総合輝度制御信号形成手段は、水平信号形成手段及び垂直信号形成手段のいずれか一方からの重なり信号が与えられるときに輝度を１／２にし、また双方から重なり信号が与えられるときに輝度を１／４にする輝度タイミング信号を形成し、この輝度タイミング信号に応じて映像を輝度変調しつつ映写する。
これにより、複数の映像源からの映像信号を複数の同期走査型プロジェクタにそれぞれ与えて各プロジェクタによる投写映像の合成映像として映写するにつき、各プロジェクタによる投写映像同士の重なり部分の輝度を重なり度合いに応じて減じるようにしたため、画面全体が均一輝度になり見易い画像とすることができる。
【０００９】
また、特許文献３は、複数のプロジェクタを備え、該プロジェクタによりスクリーンに投影した部分画像をその辺縁において隣接する部分画像に重畳領域をもって重ね合わせながら配列することにより全体として一画像を構成するようになされたマルチディスプレイ装置であって、上記重畳領域の輝度を該重畳領域を除く部分画像の輝度と略一致させるために該重畳領域に向けて投影される光束の一部を遮光する遮光板であって、部分画像に係る投写範囲の、左側を遮光する遮光部に対して対向する右側を遮光する遮光部が水平方向に変位可能であり、同様に、下側を遮光する遮光部に対して上側を遮光する遮光部が垂直方向に変位可能となるように構成されている。
【００１０】
しかしながら、従来の輝度レベルを調整する方法では、例えば、繋ぎ目に黒がある場合、例え輝度レベルをゼロにしても液晶パネルやＤＬＰ（Ｄｉｇｉｔａｌ  Ｌｉｇｈｔ  Ｐｒｏｃｅｓｓｉｎｇ）などの表示デバイスからの光漏れがあるために、黒であっても明るさを持っており、重なった部分の明るさが上がってしまっていた。
また、遮光板を付けて調整する場合、遮光板とその位置を制御するための装置が余分に必要になる。
【００１１】
さらに、上述した従来のマルチプロジェクタでは、複数のプロジェクタの光源のバラツキにより、４つの画像の色温度や色再現性、輝度が異なるため、色むらが起きるという問題点がある。
したがって、このように複数個の光源を用いた構成では画質が悪いという問題点がある。
【００１２】
本発明は、上述した実情を考慮してなされたものであって、映像の分割数よりも少ない数のプロジェクタによって、繋ぎ目を目立たせず、色むらを無くしたビデオウォール表示を実現できるプロジェクタ、プログラムおよび記録媒体を提供することを目的とする。
【００１３】
【課題を解決するための手段】
上述の課題を解決するために、本発明のプロジェクタは、外部からの映像信号をメモリに順次格納する映像入力部と、投影に必要な大きさに拡大し、投写位置により生じる台形歪みを補正する形状補正部と、前記形状補正部で補正された映像を指定された方向へ投写する投写方向切替部と、これらの各部を制御する制御部とを備え、前記制御部は、分割数に応じたタイミングに合わせて、任意に分割された映像表示領域に対応する映像領域を前記メモリから順次選択し、該選択された映像領域の映像を前記形状補正部へ転送し、該形状補正部で補正された映像を前記投写方向切替部で映像表示領域の方向へ投写することを、前記選択された映像領域順に繰り返し表示するようにして、ビデオウォール表示できるようにした。
【００１４】
さらに、任意の明るさの光を出力できる光源部と、明るさの調整値によって、前記光源部の明るさを設定する明るさ調整部とを備えて、前記制御部は前記映像の分割数に応じて光源の明るさを調整する明るさ調整値を計算し、この計算値を前記明るさ調整部へ設定することによって、映像の分割数より少ない台数のプロジェクタを用いることによって生じる明るさを分割しないときの明るさと同程度に保つようにした。
【００１５】
また、複数台のプロジェクタを双方向通信で接続して運用する場合、
（１）投写不能なプロジェクタを前記通信部により検出したときには、検出されたプロジェクタの明るさを補うように増光する明るさの調整値を設定する。
（２）投写可能なプロジェクタを前記通信部により検出したときには、接続されているすべてのプロジェクタの明るさの総和を分割のない時の明るさに減光する明るさの調整値を設定する。
【００１６】
さらに、ＬＥＤを格子状に配列した光源部をもつようにして、任意に分割された映像表示領域に対応する映像領域を前記メモリから選択する場合、この映像領域に隣接した領域と重複するようにした映像を取り出し、この取り出した映像に対応する各々のＬＥＤの光量を重複量に応じて制御して、ビデオウォール表示の映像の繋ぎ目を目立たなくした。
【００１７】
また、本発明は、上述したプロジェクタの機能を実行させるプログラムまたはそのプログラムを記録した記録媒体でも構成することができる。
【００１８】
以上の構成により、映像の分割数よりも少ない台数のプロジェクタを使ってビデオウォール表示することができる。
また、１つのプロジェクタが全投写方向に映像を万遍なく映すので、色むらを無くしたビデオウォール表示を実現できる。
【００１９】
また、映像の分割数よりも少ない台数によるプロジェクタを使ってビデオウォール表示を行ったときに生じる、明るさの減少を無くし、常に一定の明るさを保つことができるので見る人の目の負担を軽減するという効果が期待できる。
【００２０】
また、複数台のプロジェクタを使ってビデオウォール表示しているときに、いずれかのプロジェクタに故障が発生してもスクリーン上の明るさが減少することなく、絶えず一定の明るさで映像を見ることができる。
【００２１】
また、映像出力する場合の光漏れによる明るさの上昇を無くし、映像の重なり部分の光量を調整し、繋ぎ目を目立たなくするビデオウォール表示ができる。
【００２２】
【発明の実施の形態】
以下、図を参照して本発明のプロジェクタに係る好適な実施形態を説明する。
図１は、本発明のプロジェクタの構成を示すブロック図であり、同図において、プロジェクタ１０は、映像入力部１１、メモリ１２、形状補正部１３、投写方向切替部１４、制御部１５を少なくとも備えている。
映像入力部１１は、外部からの映像信号をプロジェクタ内部のメモリ１２に順次格納して行く。
【００２３】
制御部１５は、常にタイミングを管理しており、そのタイミングに合わせて、メモリ１２から任意の映像領域を選択し、それを拡大＆台形補正する形状補正部１３へ転送する。
この制御部１５が発生させるタイミングは、１つの映像期間、例えば、図２のような縦２×横２の構成の場合、ＮＴＳＣ信号であれば６０Ｈｚよりも早いタイミングの２４０Ｈｚにすることで映像のちらつきを抑えることができる。
このビデオウォール表示の構成は、縦２×横２に限らず、縦横ともに任意に分割することができるし、分割数の変更もいつ行ってもよい。
また、映像表示領域の表示順序は、１ａ→１ｂ→１ｃ→１ｄ→１ａのように上段から下段へ向かって左から右へと推移するものだけでなく、機構上最も無駄のない順番となるように予め設定され、それをもとに制御される。
【００２４】
形状補正部１３は、制御部１５からの制御命令をもとに投影に必要な大きさに拡大し、投写領域とプロジェクタとの位置関係を投写角度により生じる台形歪みを四角形となるように台形補正のパラメータを調整して補正した映像を投写方向切替部１４へ転送する。
【００２５】
投写方向切替部１４は、制御部１５からの制御命令をもとに形状補正部１３から送られてきた映像を指定された方向（メモリ１２から分割して取り出した映像の映像表示位置）へ投写する。
これらの動作を特定のタイミングに合わせて行うことで１つのプロジェクタによるビデオウォール表示を実現する。
以上のように１つのプロジェクタにより、万遍なく均等に投写を行うことになるので、スクリーン上に投写された映像の色むらを防ぐことができる。
【００２６】
例えば、図２のように、映像表示領域を縦２×横２に分割し、投写順序を１ａ→１ｂ→１ｃ→１ｄとし、１つのプロジェクタ１０からスクリーン１へ投写した映像によってビデオウォール表示を行うとする。
まず、映像表示領域１ａに投写するために制御部１５がタイミングに合わせて、メモリ１２から左上の映像を切り出して、その画像を形状補正部１３へ転送する。形状補正部１３は、メモリ１２からの映像を拡大するとともに台形補正して投写方向切替部１４へ転送する。投写方向切替部１４は、拡大映像を映像表示領域１ａの方向へ投写する。
【００２７】
次に、制御部１５は、映像表示領域１ｂに投写するために、次のタイミングに合わせて、メモリ１２から右上の映像を切り出してそれを形状補正部１３へ転送する。形状補正部１３は、メモリ１２からの映像を拡大して台形補正し投写方向切替部１４へ拡大映像を転送する。投写方向切替部１４は、拡大映像を映像表示領域１ｂの方向へ投写する。映像表示領域１ｃ、１ｄに関しても同様にして投写する。
これを繰り返すことでビデオウォール表示を行うことができる。
【００２８】
次に、上述のプロジェクタでは、プロジェクタの光源の明るさが一定光量であるから、映像の分割数を増やす毎に表示時間が短くなり、表示画面における明るさが暗くなってしまう。
例えば、１台のプロジェクタで縦２×横２のビデオウォール表示を行うと、１領域の表示時間が１／４になるため、元の明るさの１／４になる。
このような、１台のプロジェクタでは明るさが足りなくなる場合は、複数台のプロジェクタを用いることで充分な明るさを確保する。
【００２９】
図３は、複数台接続できるようにした本発明のプロジェクタの構成を示すブロック図である。図３において、プロジェクタ１０は、映像入力部１１、メモリ１２、形状補正部１３、投写方向切替部１４、制御部１５、明るさ調整部１６、光源部１７、通信部１８、通信路１９を少なくとも備えている。
図３において、図１と同じ機能を持つものについては同一の符号を付し、その説明は相違点についてのみ説明する。
【００３０】
複数のプロジェクタによって構成する場合の映像信号は、それぞれのプロジェクタの映像入力部１１に同一の映像信号が分配装置によって供給される。
また、各プロジェクタの映像は、予め同じ形態で分割し、同時に同じ領域が選ばれないように投写順序を各プロジェクタに設定しておく。
通信部１８は、他のプロジェクタとを通信路１９で接続して他のプロジェクタの制御部１５と通信する。通信路１９で接続し、電源を入れたときには、他のプロジェクタが何台接続しているかを決定して、制御部１５へ知らせる。
【００３１】
制御部１５は、通信部１８から知らされるプロジェクタの台数（以下、Ｐｊとする）および映像を構成する画面の分割数（以下、Ｄｉｖとする）と予め設定された分割領域の投写順序によって、メモリ１２からの映像切り出しおよび映写切り替えタイミングなどを、通信部１８を介して各プロジェクタと同期をとりながら制御する。
【００３２】
制御部１５は、自動的に検出した台数Ｐｊと分割数Ｄｉｖを与えられると、Ｄｉｖ＝１、Ｐｊ＝１のときにユーザが支障ないと感じる明るさを基準の明るさ（以下、Ｌｓとする）と考え、明るさ調整値Ｌｄを次の式（１）で求める。
Ｌｄ＝（Ｄｉｖ／Ｐｊ）×Ｌｓ    …  式（１）
図４（Ａ）の場合は、Ｌｄ＝（４／１）×１＝４となる。
制御部１５は、式（１）によって求められたＬｄを明るさ調整部１６に渡す。
【００３３】
光源部１７は、任意の明るさの光を出力できる光源である。
明るさ調整部１６は、制御部１５から渡される明るさの調整値Ｌｄをもとに、明るさをＬｄ倍にするために光源部１７を設定し、ビデオウォール表示時の画面の明るさをＤｉｖ＝１、Ｐｊ＝１の時と同程度に保つことができる。
【００３４】
同様に、図４（Ｂ）の場合、Ｄｉｖ＝３×３＝９であるからＬｄ＝９と計算され、図４（Ｃ）の場合、Ｄｉｖ＝４×４＝１６であるからＬｄ＝１６と計算され、図４（Ｄ）の場合、Ｄｉｖ＝４×３＝１２であるからＬｄ＝１２と計算されるので、明るさの調整値をそれぞれ計算したＬｄとして、光源部１７の明るさをＬｄ倍に調整し、スクリーン１上の明るさを一定に保つことができる。
【００３５】
次に、図５のようなプロジェクタを２台使用してビデオウォール表示を行う場合について説明する。
まず、２台のプロジェクタ（１０１、１０２）は、それぞれの通信部１８が通信路１９を通して制御部１５同士で通信できる状態に接続される。
この状態の時、各制御部１５は、使用されているプロジェクタの台数が２であると決定して、Ｐｊ＝２を設定する。
また、Ｄｉｖ＝４、Ｌｓ＝１を各制御部１５に設定しておくと、制御部１５は式（１）より、明るさの調整値をＬｄ＝２と計算して、このＬｄを明るさ調整部１６に設定する。
明るさ調整部１６は、Ｌｄ＝２をもとに明るさを２倍にするために光源部１７を調整し、ビデオウォール表示時の画面の明るさをＤｉｖ＝１、Ｐｊ＝１の時と同程度に保つことができる。
【００３６】
使用するプロジェクタの台数が一定で分割数に変化があった場合、例えば、図４でプロジェクタを２台としたときに、図４（Ｂ）の場合、Ｄｉｖ＝３×３＝９であるからＬｄ＝９／２＝４．５と計算され、図４（Ｃ）の場合、Ｄｉｖ＝４×４＝１６であるからＬｄ＝１６／２＝８と計算され、図４（Ｄ）の場合、Ｄｉｖ＝４×３＝１２であるからＬｄ＝１２／２＝６と計算されるので、明るさの調整値をそれぞれ計算されたＬｄとして、光源部１７の明るさをＬｄ倍に調整して、スクリーン１上の明るさを一定に保つことができる。
【００３７】
同様にして、使用しているプロジェクタの台数がｎ台の場合でも、式（１）でＰｊ＝ｎを適用すれば、どのような分割数であっても、ビデオウォール表示時の画面の明るさをＤｉｖ＝１、Ｐｊ＝１の時と同程度に保つことができる。
このような分割数の変化は、ユーザの指示によって行われ、プロジェクタ起動時やプロジェクタ稼動時のどのタイミングで起こってもよい。
【００３８】
さらに、複数台のプロジェクタを使用して運用していた場合、いずれかのプロジェクタに異常が発生すると表示に不都合が出るので、この異常な１台のプロジェクタの使用を中止するときの明るさの調整について説明する。
【００３９】
このような場合、正常なプロジェクタの制御部１５は、それぞれの通信部１８を使って、異常となったプロジェクタを検出し、このときのプロジェクタの台数Ｐｊを決定する。この異常検出は、異常となったプロジェクタ自身の制御部１５が自身の異常を検出後に通信部１８を使って、他のプロジェクタの制御部１５へ異常通知するようにしてもよい。
【００４０】
例えば、図６のようにプロジェクタの台数を３台で運用していた場合、Ｄｉｖ＝１、Ｐｊ＝１の時の明るさをＬｓ＝１とすると、正常運用時では、Ｄｉｖ＝４、Ｐｊ＝３より、Ｌｄ＝４／３となる。これをもとに明るさ調整部１６は、光源部１７の明るさをＤｉｖ＝１、Ｐｊ＝１の時の４／３倍に調整する。
ここで、３台のうち１台のプロジェクタ１０２に異常が発生して表示ができなくなった場合、他の２台のプロジェクタ（１０１，１０３）はこの異常をそれぞれの通信部１８によって検知して、台数をＰｊ＝２へ変更する。
この変更により正常なプロジェクタ（１０１，１０３）の制御部１５はそれぞれ、明るさの調整値ＬｄをＬｄ＝４／３からＬｄ＝４／２＝２に設定し直すことで、それぞれの光源部１７の明るさをＤｉｖ＝１、Ｐｊ＝１の時の２倍に調整する。
これによって、プロジェクタ１０２の異常によって失われる明るさを他の２台のプロジェクタが補うことになり、明るさは一定に保たれることになる。
【００４１】
その後、修理または交換等してプロジェクタ１０２が正常に復帰すれば、他の２台のプロジェクタの制御部１５のいずれかがプロジェクタ１０２の制御部１５に分割数Ｄｉｖ＝４を設定し、それぞれの制御部１５が接続台数をＰｊ＝３に戻す。
なお、分割数Ｄｉｖの設定は、ユーザ自身が復帰したプロジェクタ１０２の制御部１５に指示するようにしてもよい。
このように分割数とプロジェクタの台数を決定した後、明るさの調整値をＬｄ＝２からＬｄ＝４／３に戻して、３台のプロジェクタによる正常運用に戻ることができる。
同様に、ｎ台のプロジェクタを使って運用している場合、ｍ台のプロジェクタが故障したとしても、同様な方法により明るさを調整することができる。
また、正常なプロジェクタで運用しているときに、さらに正常なプロジェクタを追加する場合にも同様な方法により明るさを調整することができる。
【００４２】
また、各映像表示領域の境界に発生する継ぎ目をなくすために、メモリ１２からピクセル単位で重複するように画像を切り出し、この切り出した画像をスクリーン上で重複するように投写方向を切り替えて投写することによって継ぎ目の無いスムーズなビデオウォール表示を実現する。
【００４３】
このために、本発明の光源として、図７のようにＬＥＤ（Ｌｉｇｈｔ  Ｅｍｉｔｔｉｎｇ  Ｄｉｏｄｅ）を格子状に配列し、各ＬＥＤの光量を独立に制御可能なものを用いる。
制御部１５は、計算した明るさ調整値Ｌｄをもとに、光源部１７の各ＬＥＤの光量を調整することで、重なった部分の明るさの総和を重なっていない部分と同じ明るさにして、繋ぎ目を目立たなくする。ここで、格子状のＬＥＤの縦横の数は任意の個数とし、コストを勘案して決定する。
【００４４】
まず、映像表示領域のどの部分がどの程度重なるかをあらかじめ求めておき、ユーザがプロジェクタの制御部１５に設定する。
例えば、縦２×横２の場合、図８に示すように映像表示領域１ａ、１ｂ、１ｃおよび１ｄの重なり具合を設定する。ここでは、映像表示領域１ａと１ｂの重なり部分を１ｇ、映像表示領域１ａと１ｃの重なり部分を１ｅ、映像表示領域１ｃと１ｄの重なり部分を１ｈ、映像表示領域１ｂと１ｄの重なり部分を１ｆ、４つの映像表示領域の重なり部分を１ｉと呼ぶことにする。
【００４５】
この重なり部分は、重なり部分１ｅ、１ｇにおいては、２枚の映像表示領域が重なっているのでそれぞれのＬＥＤの光量を１／２（図７の７ｂ、７ｃ参照）に設定する。重なり部分１ｉにおいては、４枚の映像表示領域が重なっているのでそれぞれのＬＥＤの光量を１／４（図７の７ｄ参照）に設定する。これら以外の１ａの部分においては、映像表示領域が重なっていないので、ＬＥＤの光量を１（図７の７ａ参照）に設定する。
同様にして、重なり部分１ｆ、１ｈにおいては、２枚の映像表示領域が重なっているのでそれぞれのＬＥＤの光量を１／２に設定する。
このように設定することによって、各重なり部分の光量の合計は１になり、重なっていない部分と同じ光量になる。
【００４６】
また、上述した重なり部分の位置も図９（Ａ）のように２列あるいは任意の列数としてもよい。
また、重なる映像も図９（Ｂ）や（Ｃ）のように２枚以上が任意の位置で重なるようにしてもよい。
このように光量を調整するＬＥＤの位置やその光量を任意に変更できることで様々なビデオウォール表示に対応することができる。
【００４７】
次に、図３および図１０を用いてプロジェクタの表示動作について説明する。
制御部１５は、まず、１枚のビデオウォール表示に必要な時間を４等分してそれぞれを映像表示領域１ａ、１ｂ、１ｃおよび１ｄに割り当てる。各映像表示領域は、割り当てられた時間毎に順次表示される。表示順は、問わないものとするが、ここでは、１ａ→１ｂ→１ｃ→１ｄ→１ａの順で表示するものとする。
【００４８】
制御部１５は、次に、それぞれの映像表示領域におけるＬＥＤの光量の制御パターンを図１０のように求めておく。
制御部１５は、映像表示領域１ａの表示タイミングのときには、投写方向切替部１４の投写方向を映像表示領域１ａに切り替え、同時に、明るさ調整部１６に図１０（Ａ）のＬＥＤ制御パターンを設定して、格子状の各ＬＥＤの光量を設定する。
次に、制御部１５は、映像表示領域１ｂの表示タイミングのときには、投写方向切替部１４の投写方向を映像表示領域１ｂに切り替え、同時に、明るさ調整部１６に図１０（Ｂ）のＬＥＤ制御パターンを設定して、格子状の各ＬＥＤの光量を設定する。以下同様にして、映像表示領域１ｃ、１ｄを表示する。
制御部１５がこの４サイクルのパターンを順次繰り返すことで、１台のプロジェクタによって、継ぎ目の目立たないビデオウォール表示を行うことができる。
【００４９】
本発明は、上述した実施形態のみに限定されたものではない。上述した実施形態のプロジェクタの機能をプログラム化し、予めＲＯＭのような記録媒体に書き込んでおき、そのＲＯＭのプログラムをマイクロプロセッサで実行することによって、本発明の目的が達成されることは言うまでもない。
この場合、記録媒体から読み出されて実行された状態が上述した実施形態の機能を実現することになり、そのプログラムおよびそのプログラムを記録した記録媒体も本発明を構成することになる。
【００５０】
また、プロジェクタに接続したコンピュータの記憶装置またはプロジェクタにネットワークを介して接続させたサーバコンピュータの記憶装置に格納された上記プログラムをこのプロジェクタに備えた記憶装置へ直接供給するようにし、その供給を受けたプログラムをこのプロジェクタの備えるマイクロプロセッサによって実行することによっても上述した実施形態の機能が実現される。
この場合、それぞれのコンピュータの記憶装置も本発明の記録媒体に含まれる。
【００５１】
尚、本発明は上述した実施形態に限定されることなく、本発明の要旨を逸脱しない範囲内で各種の変形、修正が可能であるのは勿論である。
【００５２】
【発明の効果】
以上説明したように本発明によれば、映像の分割数よりも少ない台数のプロジェクタを使ってビデオウォール表示することができる。
また、１つのプロジェクタが全投写方向に映像を万遍なく映すので、色むらを無くしたビデオウォール表示を実現できる。
【００５３】
また、映像の分割数よりも少ない台数によるプロジェクタを使ってビデオウォール表示を行ったときに生じる、明るさの減少を無くし、常に一定の明るさを保つことができるので見る人の目の負担を軽減するという効果が期待できる。
【００５４】
また、複数台のプロジェクタを使ってビデオウォール表示しているときに、いずれかのプロジェクタに故障が発生してもスクリーン上の明るさが減少することなく、絶えず一定の明るさで映像を見ることができる。
【００５５】
また、映像出力する場合の光漏れによる明るさの上昇を無くし、映像の重なり部分の光量を調整し、繋ぎ目を目立たなくするビデオウォール表示ができる。
【図面の簡単な説明】
【図１】本発明のプロジェクタの構成を示すブロック図である。
【図２】１つのプロジェクタでビデオウォール表示するときの説明図である。
【図３】本発明のプロジェクタの他の構成を示すブロック図である。
【図４】分割数に変化があった場合に明るさ調整するときの説明図である。
【図５】２台のプロジェクタを使用する場合に明るさ調整するときの説明図である。
【図６】プロジェクタが故障した場合に明るさ調整するときの説明図である。
【図７】本発明のプロジェクタにおける光源部のＬＥＤ構成例である。
【図８】本発明のプロジェクタにおいて、継ぎ目を目立たせなく表示するときの重なり部分を説明する図である。
【図９】本発明のプロジェクタにおける光源部の他のＬＥＤ構成例である。
【図１０】本発明のプロジェクタにおいて、継ぎ目を目立たせなく表示する動作を説明するときのＬＥＤ制御パターン例である。
【図１１】従来の技術によるビデオウォール表示例である。
【符号の説明】
１…スクリーン、１０，１０１，１０２，１０３…プロジェクタ、１１…映像入力部、１２…メモリ、１３…形状補正部、１４…投写方向切替部、１５…制御部、１６…明るさ調整部、１７…光源部、１８…通信部、１９…通信路、１ａ，１ｂ，１ｃ，１ｄ…映像表示領域、１ｅ，１ｆ，１ｇ，１ｈ，１ｉ…重なり部分、７ａ…光量１のＬＥＤ、７ｂ…光量１／２のＬＥＤ、７ｃ…光量１／２のＬＥＤ、７ｄ…光量１／４のＬＥＤ。
【図１】
2004356919.tif 000003
【図２】
2004356919.tif 000004
【図３】
2004356919.tif 000005
【図４】
2004356919.tif 000006
【図５】
2004356919.tif 000007
【図６】
2004356919.tif 000008
【図７】
2004356919.tif 000009
【図８】
2004356919.tif 000010
【図９】
2004356919.tif 000011
【図１０】
2004356919.tif 000012
【図１１】
2004356919.tif 000013